(57)【要約】 【課題】      利用者の嗜好に合った番組を優先的に表示でき、複数の放送端末装置に対して同一の嗜好情報を蓄積させることができ、番組付加情報の選択から再生又は表示までの時間を短縮可能な携帯端末及び番組選択補助システムを提供する。【解決手段】  放送番組を視聴する利用者の視聴状態を収集する収集手段１２３と、視聴状態を放送番組に付加された番組付加情報を用いて解析する解析手段１２４と、解析の結果を用いて視聴状態に応じた利用者の嗜好を評価する嗜好情報テーブルを作成する作成手段１２５と、嗜好情報テーブルを記録する記録装置１３と、嗜好情報テーブルを読み出し、利用者の視聴状態と照合して放送番組を自動的に選局する選局手段１２２と、選局の結果を出力する出力手段１６と、嗜好情報テーブルを、放送番組を受信可能な電子機器と通信可能な形式のデータに変換する変換手段１１１を備えた通信手段１１とを備える。【選択図】    図１
2007288438.tif 000002
【特許請求の範囲】
【請求項１】
放送番組を視聴する利用者の視聴状態を収集する収集手段と、
前記視聴状態を前記放送番組に付加された番組付加情報を用いて解析する解析手段と、
前記解析の結果を用いて前記視聴状態に応じた前記利用者の嗜好を評価する嗜好情報テーブルを作成する作成手段と、
前記嗜好情報テーブルを記録する記録装置と、
前記嗜好情報テーブルを読み出し、前記利用者の視聴状態と照合して放送番組を自動的に選局する選局手段と、
前記選局の結果を出力する出力手段と、
前記嗜好情報テーブルを、放送番組を受信可能な電子機器と通信可能な形式のデータに変換する変換手段を備えた通信手段
とを備えることを特徴とする携帯端末。  
【請求項２】
前記視聴状態が、前記放送番組の視聴時間、全地球測位システムにより計算される位置情報、及び電子コンパスにより計算される動き情報を含むことを特徴とする請求項１に記載の携帯端末。
【請求項３】
前記嗜好情報テーブルを読み出して、前記放送番組に含まれる情報を出力するために必要なプログラムを前記嗜好情報テーブルに記録された優先度の高い順に準備するマルチメディア処理手段を更に備えることを特徴とする請求項１又は２に記載の携帯端末。
【請求項４】
前記出力手段が、前記嗜好情報テーブルに記録された前記出力手段の出力制限情報を読み出して、前記出力制限情報に基づく前記選局の結果を出力することを特徴とする請求項１〜３のいずれか１項に記載の携帯端末。
【請求項５】
放送番組を視聴する利用者の視聴状態を収集し、収集結果を前記放送番組に付加された番組付加情報を用いて解析し、前記視聴状態に応じた前記利用者の嗜好を評価するための嗜好情報テーブルを作成し、前記嗜好情報テーブルと前記利用者の視聴状態とを照合して放送番組を自動的に選局し、前記嗜好情報テーブルを、放送番組を受信可能な電子機器と通信可能な形式のデータに変換して通信する携帯端末と、
前記携帯端末を介して得られた前記嗜好情報テーブルを記憶装置に記録し、前記嗜好情報テーブルに基づき、前記利用者の視聴状態と照合して前記利用者が視聴する放送番組を解析する前記電子機器
とを備えることを特徴とする番組選択補助システム。
【発明の詳細な説明】
【技術分野】
【０００１】
本発明は、放送プログラムやインターネットから配信されるマルチメディアコンテンツ等の受信及び表示が可能な携帯端末及び番組選択補助システムに関する。
【背景技術】
【０００２】
地上波デジタル放送の普及に伴い、携帯端末向けの放送番組を提供するサービスの拡充が進められている。一方、地上波放送、ＢＳ放送、ＣＳ放送、ケーブルテレビ、インターネット放送、ストリーミング放送等、放送番組並びに放送番組に相当するものの数は増加の一途を辿っており、多数ある放送番組の中から好みの番組を探し出すのが非常に煩雑な作業となってきている。そこで、利用者の嗜好を学習させることにより、利用者の嗜好に合った番組を優先的に表示可能な装置の開発が進められている。
【０００３】
アナログ地上波テレビ放送を録画する据え置き型の装置の中には、利用者の放送番組の嗜好を学習する機能を備えた放送端末装置がある（例えば、特許文献１参照。）。放送端末装置を長時間使用し続けることで、利用者の利用履歴等の嗜好情報が放送端末装置に徐々に蓄積されていくため、利用者の嗜好に合った番組が自動的に録画できる。しかしながら、蓄積された情報はその放送端末装置内においてのみ利用されるため、利用したい放送端末装置が複数存在する場合には、蓄積された情報を他の放送端末装置に反映させることができない。また、同一の装置を複数の利用者で共有する場合は、各利用者の嗜好情報を個別に分類して蓄積させることが煩雑なため、放送端末装置の利用頻度の少ない利用者にとっては、嗜好に合わない番組が録画される場合がある。
【０００４】
地上波デジタル放送の各種番組には映像、音声等の他にも様々な番組付加情報が含まれている。番組付加情報の再生又は表示をさせるためには、必要な処理プログラムの転送又は起動が必要である。しかしながら、処理プログラムの転送又は起動は、番組付加情報が選択された後に実行されるのが一般的である。このため、番組付加情報の選定から再生又は表示が行われるまでに時間を要する。
【０００５】
【特許文献１】特開２００１−８６４２０号公報
【発明の開示】
【発明が解決しようとする課題】
【０００６】
本発明は、利用者の嗜好に合った番組を優先的に表示でき、複数の放送端末装置に対して同一の嗜好情報を蓄積させることができ、番組付加情報の選択から再生又は表示までの時間を短縮可能な携帯端末及び番組選択補助システムを提供する。
【課題を解決するための手段】
【０００７】
本願発明の態様によれば、放送番組を視聴する利用者の視聴状態を収集する収集手段と、視聴状態を放送番組に付加された番組付加情報を用いて解析する解析手段と、解析の結果を用いて視聴状態に応じた利用者の嗜好を評価する嗜好情報テーブルを作成する作成手段と、嗜好情報テーブルを記録する記録装置と、嗜好情報テーブルを読み出し、利用者の視聴状態と照合して放送番組を自動的に選局する選局手段と、選局の結果を出力する出力手段と、嗜好情報テーブルを、放送番組を受信可能な電子機器と通信可能な形式のデータに変換する変換手段を備えた通信手段とを備える携帯端末が提供される。
【０００８】
本願発明の他の態様によれば、放送番組を視聴する利用者の視聴状態を収集し、収集結果を放送番組に付加された番組付加情報を用いて解析し、視聴状態に応じた利用者の嗜好を評価するための嗜好情報テーブルを作成し、嗜好情報テーブルと利用者の視聴状態とを照合して放送番組を自動的に選局し、嗜好情報テーブルを、放送番組を受信可能な電子機器と通信可能な形式のデータに変換して通信する携帯端末と、携帯端末を介して得られた嗜好情報テーブルを記憶装置に記録し、嗜好情報テーブルに基づき、利用者の視聴状態と照合して利用者が視聴する放送番組を解析する電子機器とを備える番組選択補助システムが提供される。
【発明の効果】
【０００９】
本発明によれば、利用者の嗜好に合った番組を優先的に表示でき、複数の放送端末装置に対して同一の嗜好情報を蓄積させることができ、番組付加情報の選択から再生又は表示までの時間を短縮可能な携帯端末及び番組選択補助システムを提供することができる。
【発明を実施するための最良の形態】
【００１０】
次に、図面を参照して、本発明の実施の形態を説明する。以下の図面の記載において、同一又は類似の部分には同一又は類似の符号を付している。以下に示す実施の形態は、この発明の技術的思想を具体化するための装置や方法を例示するものであって、この発明の技術的思想は構成部品の構造、配置等を下記のものに特定するものではない。この発明の技術的思想は、特許請求の範囲において種々の変更を加えることができる。
【００１１】
−携帯端末−
第１の実施の形態に実施の形態に係る携帯端末１は、図１に示すように、通信手段１１と、通信手段１１に接続された制御手段１２と、制御手段１２に接続された記録装置１３、マルチメディア処理手段１４、操作手段１５、出力手段（音声出力手段１６及び表示手段１７）、及びセンサ手段１８を備える。
【００１２】
制御手段１２は、通信手段１１、記録装置１３、マルチメディア処理手段１４、操作手段１５、音声出力手段１６、表示手段１７及びセンサ手段１８で実行される各種処理の制御及び演算を行う。このため、制御手段１２は、図２に示すように、判定手段１２１、選局手段１２２、収集手段１２３、解析手段１２４、作成手段１２５、及び記録手段１２６を備える。
【００１３】
判定手段１２１は、例えば、操作手段１５から入力された情報に基づいて、図１に示す携帯端末１で利用者がテレビ視聴するか否かの判定を行う。選局手段１２２は、記録装置１３に記録された情報に基づいて、複数の放送番組の中から特定の放送番組を選局する。収集手段１２３は、センサ手段１８等から得られる利用者の視聴状態や、放送波伝送路１０Ａ又は通信路１０Ｂを介して得られる放送番組の番組付加情報を収集する。
【００１４】
解析手段１２４は、収集手段１２３による利用者の視聴状態の収集結果を放送番組に付加された番組付加情報を用いて解析する。作成手段１２５は、視聴状態に応じた利用者の嗜好を評価するための嗜好情報テーブル（図３参照）を作成する。記録手段１２６は、作成手段１２５により作成された嗜好情報テーブルの情報を記録装置１３に記録する。
【００１５】
図３に嗜好情報テーブルの例を示す。嗜好情報テーブルには、例えば、放送番組を特定するためのＩＤ情報、利用者の嗜好情報、放送番組の優先度、及び放送番組の関連情報が少なくとも格納される。嗜好情報としては、例えば、放送番組に付加された番組付加情報、視聴時間を表す時間情報、視聴位置を表す位置情報、及び視聴時の動きを表す動き情報等が格納される。番組付加情報は、放送番組と同時に送信される場合と、電子番組ガイド（ＥＰＧ）データ等と共に放送番組とは独立に送信される場合とがあるが、いずれの形式で送信されても構わない。
【００１６】
例えば、利用者が特定の放送番組を試聴すると、ＩＤ情報として「０５０９０１１０３０」、番組付加情報として「ＣＨ：１００４，ＴＬ：おはようニュース，ＣＡ：ニュース，ＡＵ：−山△男，ＡＵ：−川☆美」、時間情報として「２００５０８１５１４３０、２００５０８１５１６００」、位置情報として「Ｎ０３５９０４、Ｅ１３９４５２９」、動き情報として「ＳＷ−０１６．６６」、優先度として「１０」、関連情報として「ｈｔｔｐ：／／１００１ｃｈ．ｊｐ／」の情報が、図３に示す嗜好情報テーブルに格納される。嗜好情報テーブルは、利用者が視聴する毎に、新たなデータが上書きされていく。
【００１７】
通信手段１１は、放送波伝送路１０Ａを介して入力された放送波を、携帯端末１が扱う形式の受信データに変換する。また、通信手段１１は、図３に示すような嗜好情報テーブルを、放送番組を受信可能な電子機器と通信可能な形式のデータに変換する変換手段１１１を備える。
【００１８】
記録装置１３は、利用者の嗜好情報を記録した図３に示す嗜好情報テーブルや、通信手段１１が取得した放送番組の情報、放送番組に付加される番組付加情報等を記録する。
【００１９】
マルチメディア処理手段１４は、放送番組に含まれる動画データ及び音声データ等のマルチメディア情報を再生するために必要なプログラム及び設定情報を通信手段１１を介して取得し、取得したプログラム及び設定情報により、マルチメディア情報（主として音声データ及び動画データ）を処理する。
【００２０】
操作手段１５は、利用者による各種指示を受け付ける。音声出力手段１６は、マルチメディア処理手段１４により処理された音声データ及び各種制御音を出力する。表示手段１７は、マルチメディア処理部により処理された動画データや、静止画データ等を出力する。センサ手段１８は、全地球測位システム（ＧＰＳ）及び電子コンパス等を備えており、利用者の位置、動き等を検知する。
【００２１】
−携帯端末を利用した放送番組の視聴方法−
図１に示す携帯端末１を用いて放送番組を試聴する場合の一例を、図４及び図５に示すフローチャートを用いて説明する。
【００２２】
図４のステップＳ２１において、利用者により操作手段１５が操作されると、判定手段１２１が、放送受信モードを判定する。放送受信モードが“自動モード”と判定された場合は、ステップＳ４０へ進む。ステップＳ４０の詳細は、後述する。放送受信モードが、利用者の嗜好情報を学習する“学習モード”と判定された場合は、ステップＳ２２に進む。
【００２３】
ステップＳ２２において、利用者により操作手段１５を介してテレビ受信が選択され、ステップＳ２３において、操作手段１５を介して特定のチャンネルが選択されると、選択されたチャンネルの放送波が放送波伝送路１０Ａを介して入力される。そして、通信手段１１により復調などの処理が行われ、携帯端末１が扱う形式の受信データが生成される。生成された受信データは、制御手段１２を介してマルチメディア処理手段１４へ送られる。マルチメディア処理手段１４において、出力デバイスに対応したデータ形式に変換処理され、音声データは音声出力手段１６へ、映像データは表示手段１７へと送られる。これにより、ステップＳ２４に示すように、番組視聴が開始される。なお、ステップＳ２４において番組視聴が行われている際に、マルチメディア処理手段１４が、図２の嗜好情報テーブルに記録された優先度の高い放送番組に用いられる音声データ及び映像データの変換処理に用いられる各種プログラムを準備しておく。これにより、操作手段１５を介して異なる放送番組が選択された場合に、放送番組の選択から再生に必要なプログラムの起動時間を短縮することが可能となる。
【００２４】
ステップＳ２５において、図２の収集手段１２３が、嗜好情報学習のための視聴形態情報の収集処理を実行する。視聴形態情報の収集処理としては、例えば、図３に示すように、収集手段１２３により、「０５０９０１１３０」といった視聴番組を特定するＩＤが収集され、視聴開始時刻「２００５０８１５１４３０」が収集される。続いて、収集手段１２３により、センサ手段１８にあるＧＰＳを制御して位置情報「Ｎ０３５３９０４，Ｅ１３４５２９」が収集される。ＧＰＳが機能しない場合は、収集手段１２３により、通信路１０Ｂを介して得られる携帯電話の基地局情報から位置情報を収集してもよい。引き続き、収集手段１２３により、センサ手段１８にあるＧＰＳ及び加速度計を制御して、移動方角と移動速度からなるベクトルデータの形で示される動き情報「ＳＷ−０１６．６６」を収集する。
【００２５】
ステップＳ２６において、収集手段１２３により、通信手段１１を介して取得された番組付加情報「ＣＨ：１００４，ＴＬ：おはようニュース，ＣＡ：ニュース，ＡＵ：−山△男，ＡＵ：−川☆美」、時間情報「２００５０８１５１４３０、２００５０８１５１６００」、及び関連情報「ｈｔｔｐ：／／１００１ｃｈ．ｊｐ（ここではインターネットアクセス情報）」が収集される。そして、解析手段１２４により、通信手段１１を介して収集された番組付加情報、時間情報及び関連情報と、ステップＳ２５において取得された視聴形態情報とを関連付けるための解析が行われる。
【００２６】
ステップＳ２７において、判定手段１２１により、利用者が視聴を終了するか否かが判定される。視聴を終了しない場合は、ステップＳ２４に進む。一方、操作手段１５から視聴終了の指示が入力された場合は、作成手段１２５により、解析結果に基づいて、それまで更新されていた情報に基づく嗜好情報テーブルが作成される。ステップＳ２８において、記録手段１２６により、作成された嗜好情報テーブルの情報が、図３に示す嗜好情報テーブルの中の１項目として記録装置１３に記録される。この際、作成手段１２５により、視聴頻度などを基にしたアルゴリズムを用いて計算した優先度の情報も作成され、記録手段１２６により、記録装置１３に記録される。優先度は、例えば、番組付加情報に含まれるキーワードの出現頻度を、利用者の利用頻度の関係を点数付けして評価することにより決定できる。
【００２７】
ステップＳ２９において、制御手段１２により、図１の携帯端末１内のテレビ番組受信に必要な機能ブロックを定められた手順に従って終了させる受信終了処理が制御され、テレビ番組受信が終了する。
【００２８】
ステップＳ４０に示す自動選局処理を、図５に示すフローチャートを用いて説明する。
【００２９】
ステップＳ４１において、放送波伝送路１０Ａ又は通信路１０Ｂを介して番組付加情報が通信手段１１に入力される。例えば、操作手段１５から入力される情報に基づき、利用者が操作を行った場所をサービスエリアとするチャンネルの同時間帯の番組付加情報により、図６に示す番組付加情報テーブルが入力される。図６に示す番組付加情報テーブルには、チャンネル番号「１００１，１００４，・・・・・」、タイトルＴＬ「大相撲，午後のワイドショー，・・・・・・・」、出演ＡＵ「○の海、△の山，△野、カテゴリＣＡ「スポーツ，情報バラエティ，・・・・・」の情報がそれぞれ入力されている。番組付加情報は、制御手段１２を介して記録装置１３に記録される。
【００３０】
ステップＳ４２において、操作手段１５を介して入力された情報に基づき、判定手段１２１により、自動選局の方式（選局モード）が判定される。図５に示す例では、“番組付加情報”に基づく方式と“位置・動き情報” に基づく方式が選択できる。“番組付加情報”と判定された場合は、ステップＳ４８に進み、番組付加情報と図３に示す嗜好情報テーブルに記録された優先度を照合することにより自動的に選局がなされる。“位置・動き情報”と判定された場合は、ステップＳ４３に進む。
【００３１】
ステップＳ４３において、制御手段１２の収集手段１２３により、視聴形態情報、例えば、図７に示すような視聴時間「２００５０９０５１５１０」、視聴位置「Ｎ０３５３９０４，Ｅ１３９４５２９」及び動き情報「ＳＷ−００１．１０」、或いは図８に示すような視聴時間「２００５０９０５１５１０」、視聴位置「Ｎ０３５３２０９，Ｅ１３９４２０３」、動き情報「ＮＷ−０１６．６６」が、センサ手段１８のＧＰＳ等を介して収集される。収集結果は、記録装置１３に記憶される。ＧＰＳが機能しない場合は、収集手段１２３が、通信路１０Ｂを介して得られる携帯電話の基地局情報から位置情報及び動き情報を収集し、記録装置１３に記録させてもよい。
【００３２】
ステップＳ４４において、制御手段１２の解析手段１２４により、図７及び図８に示すような視聴形態情報と、記録装置１３に記憶された図３に示す嗜好情報テーブルの位置情報及び動き情報とを比較分析する。視聴形態情報が図７に示す例である場合は、図３の嗜好情報テーブルの中から図７の位置情報「Ｎ０３５３９０４，Ｅ１３９４５２９」に一致する情報又は近傍閾値以内の情報を含むものを候補とする。ここでは、図３のＩＤ「０５０９０１１３０」及びＩＤ「０５０９０２２０３０」が候補となる。引き続き、解析手段１２４が、図７に示す動き情報と図３に示す嗜好情報テーブルの動き情報を参照して、ベクトル量が一致するか、又は近似するものを候補とする。図７と図３を比較した場合、ＩＤ「０５０９０２２０３０」の動き情報と図７の動き情報のベクトル量が一致するため、ＩＤ「０５０９０２２０３０」が最終候補となる。最終候補の解析結果は、記録装置１３に記録される。なお、候補が複数存在する場合は、候補選択の際の判断係数が最も高いものを選ぶ。または、時間情報等他の嗜好情報を利用して判断してもよい。
【００３３】
収集された視聴形態情報が図８に示す例の場合は、解析手段１２４により、図３の嗜好情報テーブルのＩＤ「０５０９０３６０８０」及びＩＤ「０５０９０４７０９０」が候補として選ばれる。続いて、解析手段１２４により、動き情報からベクトル量として近いＩＤ「０５０９０４７０９０」が最終候補として解析され、選択される。最終候補の解析結果は、記録装置１３に記録される。
【００３４】
ステップＳ４５において、制御手段１２の選局手段１２２により、記録装置１３に記録された最終候補のＩＤ情報が読み出され、ＩＤ情報に関連づけられた番組付加情報と、図６の番組付加情報テーブルの内容を比較して、構成要素の合致度が最も高いチャンネルが選局される。例えば、最終候補として、図３のＩＤ「０５０９０２２０３０」が選択された場合は、選局手段１２２が、ＩＤ「０５０９０２２０３０」に付された番組付加情報「ＣＨ：１００１，ＴＬ：野球中継，ＣＡ：スポーツ，ＡＵ：□山−，ＡＵ：△川−」と、図６の番組付加情報テーブルとを比較して１００１ｃｈを選局し、表示手段１７及び音声出力手段１６に出力させる。
【００３５】
ステップＳ４６において、制御手段１２の判定手段１２１により、選局が妥当か否かが判定される。選局が妥当でないと判定された場合は、ステップＳ４３に戻る。選局が妥当である入力された場合は、ステップＳ４７に進み、視聴が継続される。ステップＳ４６に示す自動選局の妥当性の判断は、利用者が操作手段１５を介して明示的に行わなくてもよく、一定時間に操作手段１５から拒否の動作が無い場合は、判定手段１２１が選局は妥当であると判断するようにしてもよい。
【００３６】
本発明の実施の形態に係る携帯端末１によれば、放送番組を視聴する場合の番組付加情報、視聴時間、視聴位置、及び動き情報等の利用者の視聴状態に基づく嗜好情報テーブルが記録装置１３に逐次記録され、嗜好情報テーブルの情報に基づいて、自動的に視聴番組が選択される。このため、利用者の視聴状態に合わせて多様な放送番組から好みに合った放送番組を容易に選択できる。例えば、利用者が、夕刻に自動車等で移動中にテレビ番組Ａを視聴した場合に、その視聴状態に基づいて嗜好テーブルが作成されるため、数日後、夕刻に自動車等で利用者が携帯端末１で操作手段１５を介して「テレビ視聴」を選択するだけで、テレビ番組Ａを優先的に表示できる。
【００３７】
また、従来の据え置き型の放送端末装置に比べて利用者の使用頻度の高い携帯端末に、図３に例示するような嗜好学習テーブルを記録させることにより、据え置き型の放送端末においても、より利用者の嗜好に沿った放送番組を選局できる。また、携帯端末１の記録装置１３に記録された嗜好情報テーブルの情報を、通信手段１１を介して複数の電子機器に送受信することが可能なため、電子機器の種類、電子機器の所有者、及び電子機器の配置場所に依存することなく、利用者の好みに合った放送番組を高い精度で選局できる。
【００３８】
ところで、利用者が放送番組を視聴する場合には、映像を重視する場合や音声を重視する場合等があり、視聴形態にも様々な形態がある。このため、図９に示す嗜好テーブルに示すように、利用者の嗜好情報として、図１の音声出力手段１６及び表示手段１７に特定の情報を出力させる場合の出力制限情報（メインパネル、サブパネル、及び高解像度メインパネル内のウインドウ位置、又は表示サイズ等）を記録しておく。そして、制御手段１２により、図８の嗜好情報テーブルに記録された出力制限情報を読み出して、出力制限情報に基づき、特定の放送番組を音声出力手段１６及び表示手段１７に表示させる処理を制御することにより、特別な設定をすることなく利用者の嗜好に沿った出力形式で放送番組を視聴できる。
【００３９】
−番組選択補助システム−
図１に示す携帯端末１を利用した番組選択補助システムの一例を図１０に示す。図１０に示す番組選択補助システムは、携帯端末１と、携帯端末１を介して得られた嗜好情報テーブルを嗜好情報テーブル記憶装置１３１に記録し、嗜好情報テーブルに基づき、利用者の視聴状態と照合することにより放送番組を解析する電子機器１００とを備える。
【００４０】
電子機器１００は、通信手段１０１、通信手段１０１に接続された番組情報解析手段１０２、通信手段１０１を介して取得された嗜好情報テーブルを記憶する嗜好情報テーブル記憶装置１３１、通信手段１０１を介して取得された各種番組情報を記憶する番組情報記憶装置１３２、番組情報解析手段１０２に各種情報を入力する操作手段１０５、番組情報解析手段１０２の解析結果に基づき放送番組を出力する音声出力手段１０６及び表示手段１０７を備える。なお、電子機器１００は、番組情報解析手段１０２に接続された録画手段１０９及び録画情報記憶装置１３３を更に備えていてもよい。
【００４１】
通信手段１０１は、通信路１０１Ｂを介して携帯端末１の通信手段１１から送信された嗜好情報テーブルを受信し、嗜好情報テーブル記憶装置１３１に記憶させる、或いは、放送波伝送路１０１Ａを介して入力された放送波を、電子機器１００が扱う形式の受信データに変換し、番組情報記憶装置１３２に記憶させる。
【００４２】
番組情報解析手段１０２は、嗜好情報テーブル記憶装置１３１に記憶された嗜好情報テーブルを読み出して、利用者の視聴状況及び番組情報記憶装置１３２に記憶された番組付加情報等と照合して特定の放送番組を選局し、選局結果を音声出力手段１０６及び表示手段１０７に出力させる。録画手段１０９は、番組情報解析手段１０２の解析結果を読み出して、特定の放送番組の録画処理を行い、録画結果を録画情報記憶装置１３３に記憶させる。
【００４３】
図１０に示す電子機器１００を用いて利用者が放送番組を視聴する場合の一例を、図１１に示すフローチャートを用いて説明する。
【００４４】
ステップＳ１０１において、通信路１０１Ｂを介して、携帯端末１の記録装置１３に記録された嗜好情報テーブルの情報が通信手段１０１を介して入力され、番組情報解析手段１０２を介して嗜好情報テーブル記憶装置１３１に記憶される。放送波伝送路１０１Ａを経由して送信された図６に示すような番組付加情報が、放送波伝送路１０１Ａ及び通信手段１０１を介して番組情報記憶装置１３２に記憶される。
【００４５】
ステップＳ１０２において、操作手段１０５を介して、利用者が視聴する時間情報及び視聴位置情報等の視聴形態情報が取得される。ステップＳ１０３において、番組情報解析手段１０２が、取得された視聴形態情報と嗜好情報テーブル記憶装置１３１に記録された嗜好情報テーブルの情報とを比較分析する。番組情報解析手段１０２により、位置情報及び時間情報が嗜好情報テーブルと一致する情報又は近傍閾値以内の情報を含むものを候補として選択し、候補として選択された嗜好情報テーブル中のＩＤ情報を番組情報記憶装置１３２に記憶させる。
【００４６】
ステップＳ１０４において、番組情報解析手段１０２により、番組情報記憶装置１３２に記録されたＩＤ情報が読み出され、ＩＤ情報に関連づけられた番組付加情報と番組情報記憶装置１３２に記憶された図６に例示する番組付加情報テーブルの内容とを比較して、構成要素の合致度が最も高いチャンネルが選局され、選局結果が音声出力手段１０６及び表示手段１０７に出力される。
【００４７】
ステップＳ１０５において、操作手段１０５を介して選局が妥当か否かが判定される。選局が妥当でないと判定された場合は、ステップＳ１０２に戻る。選局が妥当である入力された場合は、ステップＳ１０６に進み、視聴が継続される。
【００４８】
ステップＳ１０７において、操作手段１０５を介して、番組録画するか否かの情報が入力される。番組録画しない場合は、そのまま視聴が継続され、その後、操作手段１０５からの指示に応じて、電子機器１００内のテレビ番組受信に必要な機能ブロックを定められた手順に従って終了させる受信終了処理が行われ、テレビ番組受信が終了する。番組録画する場合は、録画手段１０９により録画が行われ、録画されたデータが録画情報記憶装置１３３に記憶される。
【００４９】
図１０に示す番組選択補助システムによれば、据え置き型の電子機器に比べて利用者の使用頻度の高い携帯端末に、図３に例示するような嗜好学習テーブルを記録させることにより、据え置き型の電子機器１００においても、より利用者の嗜好に沿った放送番組を選局できる。また、携帯端末１の記録装置１３に記録された嗜好情報テーブルの情報を、通信手段１１を介して複数の電子機器に送受信することが可能なため、電子機器の種類、電子機器の所有者、及び電子機器の配置場所に依存することなく、利用者の好みに合った放送番組を高い精度で選局できる。
【００５０】
本発明は上記の実施の形態によって記載したが、この開示の一部をなす論述及び図面はこの発明を限定するものであると理解すべきではない。この開示から当業者には様々な代替実施の形態、実施例及び運用技術が明らかとなろう。このように、本発明はここでは記載していない様々な実施の形態等を含むことは勿論である。したがって、本発明の技術的範囲は、上記の説明から妥当な特許請求の範囲に係る発明特定事項によってのみ定められるものである。
【図面の簡単な説明】
【００５１】
【図１】本発明の実施の形態に係る携帯端末の構成の一例を示すブロック図である。
【図２】本発明の実施の形態に係る携帯端末の制御手段の詳細を示すブロック図である。
【図３】本発明の実施の形態に係る嗜好情報テーブルの一例を示す表である。
【図４】本発明の実施の形態に係る携帯端末を用いた視聴方法の一例を示すフローチャートである。
【図５】図３のステップＳ４０に示す自動選局モードを選択した場合の視聴方法の一例を示すフローチャートである。
【図６】本発明の実施の形態に係る番組付加情報テーブルの一例を示す表である。
【図７】本発明の実施の形態に係る視聴形態情報の一例を示す表である。
【図８】本発明の実施の形態に係る視聴形態情報の一例を示す表である。
【図９】本発明の実施の形態に係る嗜好情報テーブルの他の一例を示す表である。
【図１０】本発明の実施の形態に係る番組選択システムの構成の一例を示すブロック図である。
【図１１】本発明の実施の形態に係る番組選択システムを利用して放送番組を視聴する場合の一例を示すフローチャートである。
【符号の説明】
【００５２】
１…携帯端末
１１…通信手段
１２…制御手段
１３…記録装置
１４…マルチメディア処理手段
１５…操作手段
１６…音声出力手段
１７…表示手段
１８…センサ手段
１００…電子機器
１０１…通信手段
１０２…番組情報解析手段
１１１…変換手段
１２１…判定手段
１２２…選局手段
１２３…収集手段
１２４…解析手段
１２５…作成手段
１２６…記録手段
１３１…嗜好情報テーブル記憶装置
１３２…番組情報記憶装置
【図１】
2007288438.tif 000003
【図２】
2007288438.tif 000004
【図３】
2007288438.tif 000005
【図４】
2007288438.tif 000006
【図５】
2007288438.tif 000007
【図６】
2007288438.tif 000008
【図７】
2007288438.tif 000009
【図８】
2007288438.tif 000010
【図９】
2007288438.tif 000011
【図１０】
2007288438.tif 000012
【図１１】
2007288438.tif 000013